(57)【特許請求の範囲】
【請求項１】
電線接続部と、該電線接続部から延設する側部にバッテリポストを挟持する取付孔を設け、該側部先端に所定の空隙を形成し略矩形状に形成してなる一対の締付片を設けて構成してなるターミナル本体と、
上広がりのテーパー面を左右に対向させて形成した切欠部を有する２つの側片を互いに対向させて備えたブラケットとからなり、
ボルト・ナットで前記締付片と前記ブラケットを締め付けることによって前記バッテリポストを締め付けて固定する上締バッテリターミナルであって、
前記ターミナル本体の締付片の両外側端に側部延設方向の中心線を基準にして外側に広がるテーパーを形成すると共に、
前記ブラケットの２つの側片の前記側部に形成される取付孔より遠い側に位置する側片のテーパー角度をブラケットの２つの側片の前記側部に形成される取付孔に近い側に位置する側片のテーパー角度より大きく構成し、
前記締付片の負荷が前記ブラケットの２つの側片に均等に掛かるようにした
ことを特徴とする上締バッテリターミナル。
【発明の詳細な説明】
【０００１】
【発明の属する技術分野】
本発明は、自動車等に搭載されるバッテリの電極（バッテリポスト）に取り付ける上締バッテリターミナルに係り、特に、ターミナル変位部をボルトで締め付けた際、ブラケットに変形を来すことのない上締バッテリターミナルに関するものである。
【０００２】
【従来の技術】
従来のバッテリターミナルは、図７〜図９に示す如く構成されている。
【０００３】
図において、バッテリターミナル１は、ターミナル本体２と、ブラケット３と、ボルト４と、ナット５とから構成されている。
【０００４】
ターミナル本体２は、一枚の金属板を図示のように二つに折り曲げ、端子ボルト７を、頭部８を金属板の屈曲部に挟み込んで、ネジ部９を外部に突設させて電線接続部６を構成している。そして、この電線接続部６には、端子ボルト７のネジ部９に、電線を圧着した端子（図示していない）を嵌着し、ナット（図示していない）を螺合して締め付け電線を接続するようになっている。
【０００５】
また、このターミナル本体２は、金属板を二つに折り曲げて形成される電線接続部６から延設する上側部１０と下側部１１が上下対向配置され概略的に同一形状に形成される。すなわち、上側部１０は、電線接続部６の端部から垂直方向に曲げ、さらに水平方向折り曲げて段差部１２が形成されている。そして、この上側部１０には、バッテリポスト５０を嵌挿する取付孔１３が形成されている。この取付孔１３の上側部１０先端側から上側部１０の先端まで所定幅の空隙１４が設けられている。
【０００６】
さらに、上側部１０の先端部には、左右に切欠１５、１６が設けられており、この左右の切欠１５、１６によって締付片１７、１８が形成されている。この締付片１７は、外側端部１７Ａが下方に折り曲げられ、さらに包むように矩形状に折り曲げられ、締付片１８も同様に外側端部１８Ａが下方に折り曲げられ、さらに包むように矩形状に折り曲げられ、外側端部１７Ａと外側端部１８Ａが対向するように設けられている。そして、締付片１７と締付片１８にまたがってさらに外側端部１７Ａと外側端部１８Ａに連通して、ボルト４が貫通するボルト孔１９が設けられている。
【０００７】
一方、下側部１１は、電線接続部６に平坦に延設して形成され、上下対向配置される上側部１０と概略的に同一形状に形成される。すなわち、下側部１１は、電線接続部６の端部から水平方向に延接され、上側部１０の取付孔１３と対向する位置に、バッテリポスト５０を嵌挿する取付孔２０が形成されている。この取付孔２０の下側部１１先端側から下側部１１の先端まで所定幅の空隙２１が設けられている。
【０００８】
さらに、下側部１１の先端部は、上側部１０の切欠１５、１６形成部位近傍で上方垂直方向に曲げられ、上側部１０の下面に接触する位置で下側部１１の先端を上側部１０の切欠１５、１６の先端間の幅に切り落とし、２つの締付片２２、２３が形成されている。この締付片２２、２３を前方水平方向に曲げる。さらに、この下側部１１の締付片２２、２３には、締付片２２と締付片２３にまたがって、さらに締付片１７と締付片１８に形成されたボルト孔１９に連通するボルト孔２４が形成されている。そして、この水平方向に曲げられた下側部１１の締付片２２、２３は、包むように矩形状に折り曲げられた上側部１０の締付片１７、締付片１８に包み込まれる。
【０００９】
ブラケット３は、矩形状の１枚の金属板の両側片２５、２６を垂直同方向に折り曲げ、側片２５と側片２６が形成され、この側片２５と側片２６によって形成される中央片２７を有している。この中央片２７には、略中央にボルト４を貫通するボルト貫通孔２８が形成され、垂直同方向に折り曲げられた側片２５と側片２６に、同位置、同形の台形状の切欠２９、３０を設けて構成されている。なお、３１は、ワッシャである。
【００１０】
このように構成されるバッテリターミナル１は、バッテリポスト５０への取付前に、ブラケット３をターミナル本体２に仮止めしておく。すなわち、まず、ボルト４のネジ部３１をブラケット３の貫通孔２８に貫通し、ブラケット３の貫通孔２８を貫通したボルト４のネジ部３１を締付片１７、１８に形成されているボルト孔１９、締付片２２、２３に形成されているボルト孔２４に貫挿し、このボルト孔１９、２４を貫通したボルト４のネジ部５１にワッシャ３１を嵌着し、ナット５を螺合して図９に示す如く仮に組み付ける。
【００１１】
しかる後、バッテリポスト５０を取付孔２０、取付孔１３に嵌挿し、ボルト４とナット５を締め付けることによってブラケット３を移動し、締付片１７と締付片１８、締付片２２と締付片２３とをそれぞれ近づく方向に締め付け、取付孔２０、取付孔１３を小さくしてバッテリポスト５０に固定する。
【００１２】
【発明が解決しようとする課題】
このように従来のバッテリターミナルを用いてバッテリポスト５０に取り付けた場合、ボルト４のネジ部５１をブラケット３の貫通孔２８に貫通し、ブラケット３の貫通孔２８を貫通したボルト４のネジ部５１を締付片１７、１８に形成されているボルト孔１９、締付片２２、２３に形成されているボルト孔２４に貫挿し、このボルト孔１９、２４を貫通したボルト４のネジ部５１にワッシャ３１を嵌着し、ナット５を螺合して仮止めの状態では、ブラケット３の側片２５には、図１０に示す如く、締付片１７が接点Ａ１で、締付片１８が接点Ａ２で当接しており、ブラケット３の側片２６には、締付片１７が接点Ｂ１で、締付片１８が接点Ｂ２で当接している。すなわち、仮止めの状態では、締付片１７、１８は、ブラケット３の側片２５、２６に均等に当接している。
【００１３】
しかし、ナット５を締め付けると、ブラケット３が移動し、締付片１７と締付片１８、締付片２２と締付片２３とを締まる方向に締め付ける。すると、締付片１７と締付片１８、締付片２２と締付片２３は、それぞれ先端が締まる方向に、すなわち、締付片１７と締付片１８の付け根部分よりも先端の部分が、締付片２２と締付片２３の付け根部分よりも先端の部分が大きく締まる方向（矢印Ｃ、Ｄの方向）に変位する。これによって図１１に示す如く、ブラケット３の側片２５には、締付片１７が接点Ａ１で、締付片１８が接点Ａ２で当接するが、ブラケット３の側片２６には、締付片１７も締付片１８も当接せず、浮いた状態となっている。これは、図１２に示す如く、締付片１７、１８がブラケット３の側片２５、２６に均等に当接している状態から、ナット５を締め付けて行くと、ブラケット３が上昇し、ブラケット３の側片２５、２６が締付片１７、１８を中心方向に締め付け、締付片１７、１８の変位が始まり、締付片１７、１８が変形し、図１３に示す如く、締付片１７、１８の先端部が大きく変位することによる。
【００１４】
したがって、締付片１７、１８の締め付けをブラケット３の側片２５だけで支えることになる。このため締付片１７、１８の開方向への力が、ブラケット３の側片２５だけに掛かりブラケット３が変形する原因となる。
【００１５】
本発明の目的は、ブラケットで締付片を締め付けた際に、ブラケットに均等に負荷が掛かり、ブラケットの変形を生じさせることのない上締バッテリターミナルを提供することにある。
【００１６】
【課題を解決するための手段】
上記の目的を達成するために、請求項１に記載の上締バッテリターミナルは、電線接続部と、該電線接続部から延設する側部にバッテリポストを挟持する取付孔を設け、該側部先端に所定の空隙を形成し略矩形状に形成してなる一対の締付片を設けて構成してなるターミナル本体と、
上広がりのテーパー面を左右に対向させて形成した切欠部を有する２つの側片を互いに対向させて備えたブラケットとからなり、
ボルト・ナットで前記締付片と前記ブラケットを締め付けることによって前記バッテリポストを締め付けて固定する上締バッテリターミナルであって、
前記ターミナル本体の締付片の両外側端に側部延設方向の中心線を基準にして外側に広がるテーパーを形成すると共に、
前記ブラケットの２つの側片の前記側部に形成される取付孔より遠い側に位置する側片のテーパー角度をブラケットの２つの側片の前記側部に形成される取付孔に近い側に位置する側片のテーパー角度より大きく構成し、
前記締付片の負荷が前記ブラケットの２つの側片に均等に掛かるようにしたものである。
【００１７】
このように構成することにより、請求項１に記載の発明によると、ブラケットで締付片を締め付けた際に、ブラケットに均等に負荷が掛かり、ブラケットの変形を生じさせることがない。
【００１８】
【発明の実施の形態】
以下本発明に係る上締バッテリターミナルの実施の形態を、図面に基づいて詳細に説明する。
図１は本発明を適用した上締バッテリターミナルの構成を示す組立斜視図、図２は図１に図示の上締バッテリターミナルの下側部を示す斜視図、図３は本発明に係る上締バッテリターミナルを組み立てた状態を示す斜視図、図４〜図６は上締バッテリターミナルでバッテリポストに取り付けたときの上締バッテリターミナルの締め付け動作を示す図である。
なお、図１〜図３において、図７〜図９と同じ部材には同じ符号を付して示してある。
【００１９】
図１において、バッテリターミナル１は、ターミナル本体４０と、ブラケット６０と、ボルト４と、ナット５とから構成されている。
【００２０】
ターミナル本体４０は、一枚の金属板を図示のように二つに折り曲げ、端子ボルト７を、頭部８を金属板の屈曲部に挟み込んで、ネジ部９を外部に突設させて電線接続部６を構成している。そして、この電線接続部６には、端子ボルト７のネジ部９に、電線を圧着した端子（図示していない）を嵌着し、ナット（図示していない）を螺合して締め付け電線を接続するようになっている。
【００２１】
また、このターミナル本体４０は、金属板を二つに折り曲げて形成される電線接続部６から延設する上側部１０と下側部１１が上下対向配置され概略的に同一形状に形成される。すなわち、上側部１０は、電線接続部６の端部から垂直方向に曲げ、さらに水平方向折り曲げて段差部１２が形成されている。そして、この上側部１０には、バッテリポスト５０を嵌挿する取付孔１３が形成されている。この取付孔１３の上側部１０先端側から上側部１０の先端まで所定幅の空隙１４が設けられている。なお、上側部１０、下側部１１は特許請求の範囲に記載した側部に相当する。
【００２２】
さらに、上側部１０の先端部には、左右に切欠１５、１６が設けられており、この左右の切欠１５、１６と空隙１４とによって上側部１０には、左右一対の締付片４１、４２が形成されることになる。この締付片４１は、外側端部４１Ａが下方に折り曲げられ、さらに包むように折り曲げられている。この締付片４１の屈曲部４１Ｂは、上側部１０の延設方向の中心線に対し外側に広がるテーパー角度θをもって折り曲げられている。また、締付片４２は、外側端部４２Ａが下方に折り曲げられ、さらに包むように折り曲げられている。この締付片４２の屈曲部４２Ｂは、上側部１０の延設方向の中心線に対し外側に広がるテーパー角度θをもって折り曲げられている。そして、この外側端部４１Ａと外側端部４２Ａが対向するように設けられている。
【００２３】
また、締付片４１と締付片４２にまたがって、かつ、外側端部４１Ａと外側端部４２Ａに連通して、ボルト４が貫通するボルト孔１９が設けられている。
【００２４】
一方、下側部１１は、電線接続部６に平坦に延設して形成され、上下対向配置される上側部１０と概略的に同一形状に形成される。すなわち、下側部１１は、図２に示す如く、電線接続部６の端部から水平方向に延接され、上側部１０の取付孔１３と対向する位置に、バッテリポスト５０を嵌挿する取付孔２０が形成されている。この取付孔２０の下側部１１先端側から下側部１１の先端まで所定幅の空隙２１が設けられている。
【００２５】
さらに、下側部１１の先端部は、上側部１０の切欠１５、１６形成部位近傍で上方垂直方向に曲げられ、上側部１０の下面に接触する位置で下側部１１の先端を上側部１０の切欠１５、１６の先端間の幅に切り落とし、この締付片４３、４４を前方水平方向に曲げる。このようにして空隙２１によって下側部１１には、左右一対の締付片４３、４４が形成されることになる。この締付片４３は、外側端部４３Ａが下側部１１の延設方向の中心線に対し外側に広がるテーパー角度θをもって面取りされている。また、締付片４４は、外側端部４４Ａが下側部１１の延設方向の中心線に対し外側に広がるテーパー角度θをもって面取りされている。
【００２６】
さらに、この下側部１１の締付片４３、４４には、締付片４３と締付片４４にまたがって、さらに締付片４１と締付片４２に形成されたボルト孔１９に連通するボルト孔２４が形成されている。そして、この水平方向に曲げられた下側部１１の締付片４３、４４は、包むように折り曲げられた上側部１０の締付片４１、締付片４２に包み込まれる。
【００２７】
ブラケット６０は、矩形状の１枚の金属板の両側片６１、６２を垂直同方向に折り曲げ、２つの側片６１と側片６２によって形成され、この側片６１と側片６２によって形成される中央片６３を有している。この中央片６３には、略中央にボルト４を貫通するボルト貫通孔６４が形成されている。そして、垂直同方向に折り曲げられた側片６１には、上広がりのテーパー面を左右に対向させて形成した台形状の切欠部６５が設けられている。また垂直同方向に折り曲げられた側片６２には、上広がりのテーパー面を左右に対向させて形成した台形状の切欠部６６が設けられている。
【００２８】
この側片６１の切欠部６５を構成する逆台形状の底辺の長さと側片６２の切欠部６６を構成する逆台形状の底辺の長さとは同じで、側片６１の切欠部６５を構成する逆台形状の高さと側片６２の切欠部６６を構成する逆台形状の高さは同じに構成されている。また、側片６１の切欠部６５の上広がりのテーパー角度αに対し、側片６２の切欠部６６の上広がりのテーパー角度は、βと異なった角度となっている。しかも、このテーパー角度αとテーパー角度βとは、α＜βの関係になっている。また、このテーパー角度αとテーパー角度βの相違は、上側部１０の延設方向の中心線に対し外側に広がるテーパー角度θをもって折り曲げられている締付片４１の屈曲部４１Ｂと関係があり、テーパー角度αとテーパー角度βの関係は、ブラケット６０によって、締付片４１と締付片４２を締め付けた際に、締付片４１と締付片４２が側片６１と側片６２に当接するように設定されている。
なお、３１は、ワッシャである。
【００２９】
このように構成されるバッテリターミナル１は、バッテリポスト５０への取付前に、ブラケット６０をターミナル本体４０に仮止めしておく。すなわち、まず、ボルト４のネジ部５１をブラケット６０の貫通孔６４に貫通し、ブラケット６０の貫通孔６４を貫通したボルト４のネジ部５１を締付片４１、４２に形成されているボルト孔１９、締付片４３、４４に形成されているボルト孔２４に貫挿し、このボルト孔１９、２４を貫通したボルト４のネジ部５１にワッシャ３１を嵌着し、ナット５を螺合して図３に示す如く仮に組み付ける。
【００３０】
しかる後、バッテリポスト５０を取付孔２０、取付孔１３に嵌挿し、ボルト４とナット５を締め付けることによってブラケット６０を移動し、締付片４１と締付片４２、締付片４３と締付片４４とをそれぞれ近づく方向に締め付け、取付孔２０、取付孔１３を小さくしてバッテリポスト５０に固定する。
【００３１】
このように図１に示す如きバッテリターミナル１を用いてバッテリポスト５０に取り付けた場合、ボルト４のネジ部５１をブラケット６０の貫通孔６４に貫通し、ブラケット６０の貫通孔６４を貫通したボルト４のネジ部５１を締付片４１、４２に形成されているボルト孔１９、締付片４３、４４に形成されているボルト孔２４に貫挿し、このボルト孔１９、２４を貫通したボルト４のネジ部５１にワッシャ３１を嵌着し、ナット５を螺合して仮止めの状態では、締付片４１の屈曲部４１Ｂは、上側部１０の延設方向の中心線に対し外側に広がるテーパー角度θをもって折り曲げられており、側片６１の切欠部６５の上広がりのテーパー角度αと、側片６２の切欠部６６の上広がりのテーパー角度βを異なった角度に形成されているため、ブラケット６０の側片６１には、図４に示す如く、締付片４１が接点Ａ１で、締付片４２が接点Ａ２で当接しており、ブラケット６０の側片６２には、締付片４１が接点Ｂ１で、締付片４２が接点Ｂ２と同じ高さ位置で当接している。すなわち、仮止めの状態では、締付片４１、４２は、ブラケット６０の側片６１、６２に均等に当接している。
【００３２】
そこで、バッテリターミナル１をバッテリポスト５０に取り付けるため、ナット５を締め付けると、ブラケット６０が図６（Ｂ）に示す如く上方に移動し、締付片４１と締付片４２、締付片４３と締付片４４とを締める方向に締め付ける。すると、締付片４１と締付片４２、締付片４３と締付片４４は、それぞれ先端が図５に図示の矢印Ｃ、Ｄに示す方向に締まる。すなわち、締付片４１と締付片４２は、締付片４１と締付片４２の付け根部分よりも先端の部分が、締付片４３と締付片４４の付け根部分よりも先端の部分が大きく締まる方向（図５の矢印Ｃ、Ｄの方向）に変位する。この変位の状態は、締付片４１の屈曲部４１Ｂは、上側部１０の延設方向の中心線に対し外側に広がるテーパー角度θをもって折り曲げられており、側片６１の切欠部６５の上広がりのテーパー角度αと、側片６２の切欠部６６の上広がりのテーパー角度βを異なった角度に形成されているため、側片６２のテーパー面に沿って生じる。
【００３３】
この変位に対し、側片６１の切欠部６５の上広がりのテーパー角度αと、側片６２の切欠部６６の上広がりのテーパー角度βを異なった角度としてあり、側片６１の切欠部６５を構成する逆台形状の底辺の長さと側片６２の切欠部６６を構成する逆台形状の底辺の長さとは同じで、側片６１の切欠部６５を構成する逆台形状の高さと側片６２の切欠部６６を構成する逆台形状の高さは同じに構成してあるため、これによって図５、図６に示す如く、ブラケット６０の側片６１には、締付片４１が接点Ａ３で、締付片４２が接点Ａ４で当接し、ブラケット６０の側片６２には、締付片４１が接点Ｂ３で、締付片４２が接点Ｂ４と同じ高さ位置で当接することになる。すなわち、この締め付けた状態でも、締付片４１、４２は、ブラケット６０の側片６１、６２に均等に当接することになる。
【００３４】
このように、本実施の形態によれば、側片６１と側片６２の接触部角度の設定を変えたブラケット６０とテーパ形状をもった締付片４１、４２から構成されるため、バッテリターミナル１をバッテリポスト５０に取り付ける際、ブラケット６０が図６のＰの位置にある時は図４に示す如く、側片６１と側片６２で締付片４１、４２に力を加え、ブラケット６０がＱの位置に有る時も、図５の如く、側片６１と側片６２が締付片４１、４２に接触し、力を側片６１、側片６２の両方で加えることができる。
【００３５】
【発明の効果】
以上に説明したように構成されているので、請求項１に記載の発明によれば、ブラケットで締付片を締め付けた際に、ブラケットに均等に負荷を掛けることができ、ブラケットが変形するのを防止することができる。
【図面の簡単な説明】
【図１】本発明を適用した上締バッテリターミナルの構成を示す組立斜視図である。
【図２】図１に図示の上締バッテリターミナルの下側部を示す斜視図である。
【図３】本発明に係る上締バッテリターミナルを組み立てた状態を示す斜視図である。
【図４】上締バッテリターミナルを仮止めした状態を示す図である。
【図５】上締バッテリターミナルをブラケットで締め付けたときの締付片の状態を示す図である。
【図６】上締バッテリターミナルでバッテリポストに取り付けたときの上締バッテリターミナルの締め付け動作を示す図である。
【図７】従来の上締バッテリターミナルの構成を示す組立斜視図である。
【図８】図７に図示の上締バッテリターミナルの下側部を示す斜視図である。
【図９】従来の上締バッテリターミナルを組み立てた状態を示す斜視図である。
【図１０】従来の上締バッテリターミナルを仮止めした状態を示す図である。
【図１１】従来の上締バッテリターミナルをブラケットで締め付けたときの締付片の状態を示す図である。
【図１２】従来の上締バッテリターミナルでバッテリポストに取り付けたときの上締バッテリターミナルの締め付け動作を示す図である。
【図１３】従来の上締バッテリターミナルでバッテリポストに取り付けたときの上締バッテリターミナルの締め付け動作を示す図である。
【符号の説明】
１……………………バッテリターミナル
４……………………ボルト
５……………………ナット
６……………………電線接続部
７……………………端子ボルト
１０…………………上側部（側部）
１１…………………下側部（側部）
４０…………………ターミナル本体
４１、４２…………締付片
５０…………………バッテリポスト
６０…………………ブラケット
６１、６２…………側片
６５、６６…………切欠部
【図１】
0004104040.tif 000002
【図２】
0004104040.tif 000003
【図３】
0004104040.tif 000004
【図４】
0004104040.tif 000005
【図５】
0004104040.tif 000006
【図６】
0004104040.tif 000007
【図７】
0004104040.tif 000008
【図８】
0004104040.tif 000009
【図９】
0004104040.tif 000010
【図１０】
0004104040.tif 000011
【図１１】
0004104040.tif 000012
【図１２】
0004104040.tif 000013
【図１３】
0004104040.tif 000014